(57)【特許請求の範囲】
【請求項１】
先端にスプールが取り付けられたスプール軸と、
ハンドルの回転運動を直線運動に変換してスプールを前後動させるように、スプール軸の基端に固定され且つ前後方向に往復動可能な摺動子を有するオシレーティング機構と、をリール本体に備えており、
リール本体と、該リール本体に着脱自在に取り付けられる蓋体との後部に形成した切欠部をキャップで閉鎖し、該キャップの内側における前記両切欠部の間に、リール本体の後部及び蓋体の後部から第１及び第２の案内部を突出形成すると共に、前記摺動子に、前記第１及び第２の案内部によって案内されるガイド部を形成し、該ガイド部と前記第１及び第２の案内部とによって、前記摺動子のガタ付きを防止するガタ防止機構が設けられることを特徴とする魚釣用スピニングリール。
【発明の詳細な説明】
【０００１】
【発明の属する技術分野】
本発明は、魚釣用スピニングリールに関する。
【０００２】
【従来の技術】
従来、例えば特公平３−８１８２号公報に開示されているように、リール本体のコンパクト化を図ると共に、スプールとオシレーティング機構の摺動子との着脱作業の容易化を図ることを目的として、摺動子とスプールとの着脱作業を行うためにリール本体後部に形成された切欠部と、この切欠部を閉鎖させるためのキャップとを備えた魚釣用スピニングリールが知られている。
このような構成によれば、リール本体のコンパクト化を実現することができると共に、スプールのストロークを長くすることができる。
【０００３】
【発明が解決しようとする課題】
しかしながら、上述したような魚釣用スピニングリールには、スプールと摺動子との着脱作業の容易化を図るための構成が施されているだけであり、オシレーティング機構の精度を向上させる点については何等考慮されていない。具体的には、オシレーティング機構の摺動子のガタを防止するための構成が施されていないため、特にリール使用時において、スプール（摺動子）には、ガタ（ラジアル方向のガタ）が発生してしまう。
【０００４】
本発明は、このような問題を解決するために成されており、その目的は、リール本体のコンパクト化、並びに、スプールと摺動子との着脱作業の容易化を図ると同時に、スプール（摺動子）のガタ防止を図ることが可能な魚釣用スピニングリールを提供することにある。
【０００５】
【課題を解決するための手段】
このような目的を達成するために、本発明の魚釣用スピニングリールは、先端にスプールが取り付けられたスプール軸と、ハンドルの回転運動を直線運動に変換してスプールを前後動させるように、スプール軸の基端に固定され且つ前後方向に往復動可能な摺動子を有するオシレーティング機構と、をリール本体に備えており、
リール本体と、該リール本体に着脱自在に取り付けられる蓋体との後部に形成した切欠部をキャップで閉鎖し、該キャップの内側における前記両切欠部の間に、リール本体の後部及び蓋体の後部から第１及び第２の案内部を突出形成すると共に、前記摺動子に、前記第１及び第２の案内部によって案内されるガイド部を形成し、該ガイド部と前記第１及び第２の案内部とによって、前記摺動子のガタ付きを防止するガタ防止機構が設けられることを特徴とする。
【０００６】
【発明の実施の形態】
以下、本発明の一実施の形態に係る魚釣用スピニングリールについて、添付図面を参照して説明する。
図１及び図２に示すように、魚釣用スピニングリールのリール本体２内には、ハンドル４の回転操作によって回転駆動される駆動歯車６が設けられており、この駆動歯車６には、中空のピニオン８が噛合している。尚、ピニオン８は、軸受（図示しない）を介してリール本体２に回転可能に支持されている。
【０００７】
ピニオン８内には、スプール軸１０が軸方向に挿通されており、このスプール軸１０の先端には、釣糸（図示しない）が巻回されるスプール１２が取り付けられている。
【０００８】
また、ピニオン８には、このピニオン８と一体的に回転するロータ１４が取り付けられており、このロータ１４には、一対のベール取付アーム１４ａが設けられている。これらベール取付アーム１４ａには、夫々、揺動アーム（図示しない）を介して、ベール１６が釣糸放出状態と釣糸巻回状態に回動可能に支持されている。なお、一方の揺動アームとベール１６の端部との間には、釣糸案内機構（ラインローラ）１８が支持されている。
【０００９】
また、上記の駆動歯車６には、オシレーティング機構２０が係合しており、この駆動歯車６を回転することによって、上述したスプール軸１０を前後動させるように構成されている。
【００１０】
オシレーティング機構２０には、スプール軸１０と平行に配置され且つ軸受（図示しない）を介してリール本体２に回転可能に支持されたウオーム軸２２と、このウオーム軸２２に沿って前後動する摺動子２４とが設けられている。
【００１１】
ウオーム軸２２は、ギヤ２６を介してピニオン８に連結されており、一方、摺動子２４には、このウオーム軸２２に常時噛合している摺動ピン２８が設けられている。また、摺動子２４は、固定ピン３０によってスプール軸１０の基端に固定されている。
【００１２】
このようなオシレーティング機構２０によれば、駆動歯車６がピニオン８を回転させると、このピニオン８に噛合したギヤ２６が回転し、このギヤ２６の回転と共にウオーム軸２２が回転する。このとき、ウオーム軸２２に噛合した摺動ピン２８が、ウオーム軸２２の回転に伴って前後動することによって、摺動子２４は、ウオーム軸２２に沿って前後動する。この結果、この摺動子２４に連結しているスプール軸１０を前後動させることができる。
【００１３】
上述の構成において、ハンドル４を回転操作すると、その回転運動は、駆動歯車６を介してピニオン８に伝達され、このピニオン８を回転させる。同時に、ハンドル４の回転運動は、オシレーティング機構２０を介してスプール軸１０に伝達され、このスプール軸１０を前後動させる。このとき、ロータ１４が回転しつつスプール１２が前後動することによって、釣糸は、釣糸案内機構１８を介してスプール１２に片寄ること無く均等に巻回される。
【００１４】
また、本実施の形態の魚釣用スピニングリールには、ロータ１４の回転に対して制動力を付与する制動装置が設けられており、この制動装置を駆動操作するために、リール本体２には、操作レバー３４が支軸３２を介して回動可能に支持されている。この操作レバー３４の先端部には、指を引っ掛けることが可能な操作部３４ａが形成されており、一方、操作レバー３４の基端部には、ブレーキシュー３６が取り付けられている。
【００１５】
制動装置には、一方向クラッチ（図示しない）を介してピニオン８に取り付けられたブレーキロータ３８と、このブレーキロータ３８に取り付けられた制動体４０と、この制動体４０を跨ぐように配置され且つリール本体２に固定された圧接片４２とが設けられている。
【００１６】
このような制動装置において、操作レバー３４を矢印Ｓ１方向に回動操作すると、ブレーキシュー３６によって制動体４０が圧接片４２方向に押圧され、制動体４０は、ブレーキシュー３６と圧接片４２との間に所定の圧力で挟持される。この結果、ブレーキロータ３８の回転に制動がかけられる。従って、操作レバー３４の回動操作量を調節すれば、その回動操作量に応じた制動力をブレーキロータ３８を介してロータ１４に利かせることができる。
【００１７】
また、本実施の形態の魚釣用スピニングリールには、ロータ１４の逆転防止装置が設けられており、この逆転防止装置は、上記の操作レバー３４の回動操作によって駆動させることができるようになっている。
【００１８】
逆転防止装置には、操作レバー３４の基端部に設けられた作動体４４と、上記の制動体４０に形成された係合溝（図示しない）に係合可能な係合爪４６と、作動体４４の作動力を係合爪４６に伝達して、この係合爪４６を制動体４０の係合溝に係合させる制御カム４８とが設けられている。
【００１９】
このような逆転防止装置において、操作レバー３４を矢印Ｓ２方向に回動操作すると、作動体４４の作動力が制御カム４８を介して係合爪４６に伝達され、この係合爪４６を制動体４０の係合溝に係合させる。このとき、制動体４０の回転が阻止されることによって、ロータ１４は、逆転防止状態に維持される。
【００２０】
また、本実施の形態の魚釣用スピニングリールには、オシレーティング機構２０の摺動子２４のラジアル方向のガタを無くすことによって、スプール１２をガタ付くこと無く前後動させることが可能なガタ防止機構が設けられている。
【００２１】
図２〜図６に示すように、本実施の形態の魚釣用スピニングリールには、リール本体２のコンパクト化を図ると共に、スプール軸１０とオシレーティング機構２０の摺動子２４との着脱作業の容易化を図ることを目的として、スプール軸１０と摺動子２４との着脱作業を行うためにリール本体２の後部に形成された切欠領域と、この切欠領域を閉鎖（即ち、オシレーティング機構２０をリール本体２内に収容）させるために切欠領域に対して着脱自在に取り付けることが可能なキャップ５０とが設けられている。
【００２２】
リール本体２には、蓋体５２が着脱自在に取り付けられて構成されており、切欠領域は、リール本体２の後部に形成された切欠部２ａと、蓋体５２の後部に形成された切欠部５２ａとから構成されている。
【００２３】
ガタ防止機構は、このようなキャップ５０の内側における切欠部２ａ，５２ａとの間に、リール本体２内部から連続的に形成された摺動案内部を備えて構成されている。
【００２４】
摺動案内部は、リール本体２の後部から突出し且つリール本体２に一体形成された第１の案内部５４と、蓋体５２の後部から突出し且つ蓋体５２に一体形成された第２の案内部５６とから構成されており、第１及び第２の案内部５４，５６によって、摺動子２４をオシレーティング機構２０のウオーム軸２２に沿ってスプール軸１０のラジアル方向にガタ付くこと無く前後方向に案内することができるようになっている。
【００２５】
具体的には、摺動子２４の下端部には、ガイド部２４ａが形成されており、このガイド部２４ａが第１及び第２の案内部５４，５６によって案内されることによって、摺動子２４は、ウオーム軸２２に沿ってスプール軸１０のラジアル方向にガタ付くこと無く前後方向に案内される。
【００２６】
なお、本実施の形態において、第１の案内部５４の後端には、ネジ孔５８が形成されており、キャップ５０の開口５０ａからネジ孔５８に対して固定ネジ６０を締結することによって、キャップ５０をリール本体２に着脱自在に取り付けることができるようになっている。
【００２７】
本実施の形態によれば、リール本体２及び蓋体５２の後部に夫々切欠部２ａ，５２ａを形成すると共に、キャップ５０の内側における切欠部２ａ，５２ａとの間にリール本体２内部から連続的に形成された摺動案内部を備えたことによって、リール本体２のコンパクト化及び軽量化を実現することができると同時に、オシレーティング機構２０の摺動子２４のラジアル方向のガタが無くなって、スプール１２をガタ付くこと無く前後動させることができる。
【００２８】
また、摺動案内部の第１及び第２の案内部５４，５６をリール本体２と蓋体５２とに振り分けて構成したことによって、例えばメンテナンス作業時において、蓋体５２をリール本体２から外すと、蓋体５２と共に第２の案内部５６も同時に外れるため、リール本体２の後部には、障害物の無い広いメンテナンス作業領域を確保することができる。この結果、摺動子２４の取外作業や組付作業を容易に行うことができる。
【００２９】
更に、リール本体２の後部にキャップ５０を取り付けることによって、リール本体２の後部側の表裏面全体を凹凸無く且つ滑らかな表面外観形状に被覆することができるため、この部分に対する釣糸の引っ掛かりを防止することができると同時に、見た目にも美しい曲線美を成す魚釣用スピニングリールを構成することができる。
【００３０】
なお、本発明は、上述した実施の形態に限定されることは無く、以下のように種々変更することができる。
上述した実施の形態では、ロータ１４の回転に制動力を付与する制動装置を備えた魚釣用スピニングリールを想定したが、スプール１２に対して制動力を付与するドラグ機構を備えた魚釣用スピニングリールに対して、上述したような切欠部及び摺動案内部を設けても、上記実施の形態と同様の作用効果を実現することができる。
【００３１】
【発明の効果】
本発明によれば、リール本体のコンパクト化、並びに、スプールと摺動子との着脱作業の容易化を図ると同時に、スプール（摺動子）のガタ防止を図ることが可能な魚釣用スピニングリールを提供することができる。
【図面の簡単な説明】
【図１】本発明の一実施の形態に係る魚釣用スピニングリールの内部構成を示す図。
【図２】本発明の一実施の形態に係る魚釣用スピニングリールの外観構成を示す図。
【図３】リール本体の後部側の内部構成を拡大して示す側面図。
【図４】リール本体の後部側の内部構成を拡大して示す後面図。
【図５】リール本体の後部からキャップを外した状態を示す図。
【図６】（ａ）は、図４のＡ−Ａ線に沿う断面図、（ｂ）は、同図（ａ）に示された摺動案内部の拡大図。
【符号の説明】
２  リール本体
２４  摺動子
５０  キャップ
５２  蓋体
５４  第１の案内部
５６  第２の案内部
【図１】
0003548008.tif 000002
【図２】
0003548008.tif 000003
【図３】
0003548008.tif 000004
【図４】
0003548008.tif 000005
【図５】
0003548008.tif 000006
【図６】
0003548008.tif 000007